(57)【要約】【課題】給水及び給湯を調整して浴槽供給湯による所要の入浴湯張時間、入浴湯張完了時温度に容易に応答できる浴槽供給湯調整装置を得る。【解決手段】一次側給水バルブ１、一次側給湯バルブ３の両者を調整用表示装置１７の表示によって操作することによって水量、湯量の現在値を容易に適正値に調整することができる。そして、給水及び給湯を調整して浴槽供給湯による所要の入浴湯張時間、入浴湯張完了時温度に対して、簡易な操作によって容易に応答でき、給水及び給湯の調整経費を節減する。また、所要の入浴湯張時間等に対して給水、給湯が適切に調整されるので、湯張後の入浴時に熱過ぎて水を追加したり、温すぎて湯を追加したりする頻度が低下し無用な給水、給湯が減少してエネルギーを節減し、また節水作用を得る。【選択図】　　　　図１
2004061018.tif 000002
【特許請求の範囲】
【請求項１】
一次側給水バルブに接続されて浴室に設けられた給水栓及び一次側給湯バルブに接続されて上記浴室に設けられた給湯栓に連結された浴槽供給湯管路、温度検出器及び流速検出器が設けられて要時に上記浴槽供給湯管路の湯水が供給される検出手段と、上記温度検出器及び流速検出器の出力を給水温度、給湯温度、給水流量、給湯流量、浴槽供給湯温度、浴槽供給湯量に変換する機能及び上記浴室に対応した操作手段により入力された任意入浴湯張時間、任意入浴湯張完了時温度から適正浴槽供給湯温度、適正浴槽供給湯量を算出し上記適正浴槽供給湯温度、適正浴槽供給湯量を得るための適正給水量、適正給湯量を算出する機能を有する調整装置と、上記一次側給水バルブ及び一次側給湯バルブの調整作業のための上記適正給水量、適正給湯量を表示する調整用表示装置とを備えた浴槽供給湯調整装置。
【発明の詳細な説明】
【０００１】
【発明の属する技術分野】
この発明は、宿泊施設の客室それぞれに設けられた浴室の浴槽に供給される給水及び温水を調整する浴槽供給湯調整装置に関する。
【０００２】
【従来の技術】
図３は、従来の浴槽供給湯調整装置を示す供給湯回路図である。図において、１は一次側給水バルブ、２は一次側給水バルブ１に接続されて浴室（図示しない）内に設けられた給水栓、３は一次側給湯バルブ、４は一次側給湯バルブ３に接続されて浴室内に設けられた給湯栓である。
【０００３】
５は給水栓２及び給湯栓４に接続された浴槽供給湯管路、６は浴槽供給湯管路５の湯水を受ける検出手段で、温度検出器７及び流速測定用羽根車からなる流速検出器８が設けられている。９は調整装置で、信号線１０によって検出手段６に接続されている。
【０００４】
従来の浴槽供給湯調整装置は上記のように構成され、次に述べるようにして浴槽へ供給する湯水が調整される。すなわち、給水栓２及び給湯栓４を開放しそれらを湯水浴槽供給湯管路５を経て検出手段６に受ける。そして、温度検出器７の温度信号、流速検出器８の流速信号が信号線１０を介して調整装置９に入力され調整装置９の演算部によって浴槽供給湯の所要温度、所要流量が算出される。
【０００５】
そして、一次側給水バルブ１、一次側給湯バルブ３が操作されて、調整装置９による浴槽供給湯の所要温度、所要流量の算出値となるように給水量、給湯量が調整される。なお、調整装置９による浴槽供給湯の所要温度、所要流量の算出値とは、浴槽供給湯を加減し浴槽の大きさに対応した適正な入浴湯張時間、入浴湯張完了時温度を実現するための浴槽供給湯の所要温度、所要量である。
【０００６】
【発明が解決しようとする課題】
上記のような従来の浴槽供給湯調整装置では、一次側給水バルブ１、一次側給湯バルブ３の両者を調整して浴槽供給湯を所要温度、所要量にする必要がある。しかし、上記両者の調整は非常に困難であって浴槽供給湯を所要温度、所要量に調整するために多大な労力を要するという問題点があった。
なお、上記両者の調整のためには上記両者のそれぞれに温度検出器７及び流速検出器８を設ける必要があり経費が嵩むことになる。
【０００７】
この発明は、かかる問題点を解消するためになされたものであり、給水及び給湯を調整して浴槽供給湯による所要の入浴湯張時間、入浴湯張完了時温度に容易に対応することができる浴槽供給湯調整装置を得ることを目的とする。
【０００８】
【課題を解決するための手段】
この発明に係る浴槽供給湯調整装置においては、一次側給水バルブに接続されて浴室に設けられた給水栓及び一次側給湯バルブに接続されて浴室に設けられた給湯栓に連結された浴槽供給湯管路、温度検出器及び流速検出器が設けられて浴槽供給湯管路の湯水が要時に供給される検出手段と、温度検出器及び流速検出器の出力を給水温度、給湯温度、給水流量、給湯流量、浴槽供給湯温度、浴槽供給湯量に変換する機能及び浴室に対応した操作手段により入力された任意入浴湯張時間、任意入浴湯張完了時温度から適正浴槽供給湯温度、適正浴槽供給湯量を算出し適正浴槽供給湯温度、適正浴槽供給湯量を得るための適正給水量、適正給湯量を算出する機能を有する調整装置と、一次側給水バルブ及び一次側給湯バルブの調整作業のための適正給水量、適正給湯量を表示する調整用表示装置とが設けられる。
【０００９】
【発明の実施の形態】
実施の形態１．
図１及び図２は、この発明の実施の形態の一例を示す図で、図１は供給湯回路図、図２は図１の供給湯回路の調整作業を説明するフローチャートである。図において、１は一次側給水バルブ、２は一次側給水バルブ１に接続されて浴室（図示しない）内に設けられた給水栓、３は一次側給湯バルブ、４は一次側給湯バルブ３に接続されて浴室内に設けられた給湯栓である。
【００１０】
５は給水栓２及び給湯栓４に接続された浴槽供給湯管路、１１は浴槽供給湯管路５の湯水を受ける漏斗形部を有する検出手段で、温度検出器７及び流速測定用羽根車からなる流速検出器８が設けられている。１２は浴室に設けられた浴槽、１３は浴槽１２に仮設された支持金具で、検出手段１１を支持する支持腕が設けられている。
【００１１】
１４は調整装置で、操作キーからなる操作手段１５、液晶からなる表示部１６が設けられ信号線１０によって検出手段１１に接続されている。１７は調整用表示装置で、信号線１８によって調整装置１４に接続され一次側給水バルブ１、一次側給湯バルブ３の近くに配置されている。１９は検出手段１１に設けられた調整弁で、浴槽供給湯管路５からの湯水が検出手段１１の漏斗形部に滞留し、かつ漏斗形部から溢れないように調整される。
【００１２】
上記のように構成された浴槽供給湯調整装置において、浴槽１２へ供給する湯水の調整作業時に、浴槽１２に支持金具１３によって検出手段１１が仮設される。そして以下、浴槽１２へ供給する湯水の調整作業を図２に示すフローチャートによって説明する。すなわち、ステップ１０１により給水栓２を全開して水を検出手段１１に流し、ステップ１０２へ進み、水温が安定したら調整装置１４に記憶する。
【００１３】
そして、ステップ１０３へ進んで給水栓２を全閉し、給湯栓４を全開して湯を検出手段１１に流し、ステップ１０４へ進み、湯温が安定したら調整装置１４に記憶する。次いで、ステップ１０５へ進んで給湯栓４を全開したまま給水栓２を全開して湯水を検出手段１１に流す。これにより、ステップ１０６において表示部１６に水量、湯量の現在値と、調整装置１４に記憶された水温及び湯温から算出された水量、湯量の適正値が表示される。
【００１４】
なお、前述の適正値は次のように算出される。すなわち、水温ａ、湯温ｂ、所要の入浴湯張時間、入浴湯張完了時温度から算出された適正給湯温度ｃ、適正給湯量ｄとし、次式によって適正水量ｘ、適正湯量ｙを求める。すなわち、
適正水量ｘ＝適正給湯量ｄ・（湯温ｂ−適正給湯温度ｃ）／（湯温ｂ−水温ａ）適正湯量ｙ＝適正給湯量ｄ・（適正給湯温度ｃ−水温ａ）／（湯温ｂ−水温ａ）
【００１５】
そしてステップ１０７に進み、調整用表示装置１７にステップ１０６における水量、湯量の現在値と適正値が表示されるので、調整用表示装置１７の表示によって一次側給水バルブ１、一次側給湯バルブ３を操作して水量、湯量の現在値を適正値に調整する。次いで、ステップ１０８に進んで水量、湯量の現在値が適正値に安定したら、その適正値を調整装置１４に記憶する。
【００１６】
そしてステップ１０９へ進み、他の浴室において湯水の温度及び浴槽の形態が同じであれば、ステップ１０１〜ステップ１０８の作業を省略してステップ１０８における調整装置１４の記憶値によって一次側給水バルブ１、一次側給湯バルブ３を操作して調整する。これによって、浴槽１２へ供給する湯水の調整作業が終了して支持金具１３、検出手段１１が撤収される。
【００１７】
これによって、一次側給水バルブ１、一次側給湯バルブ３の両者を調整用表示装置１７の表示に従って操作して水量、湯量の現在値を容易に適正値に調整することができる。そして、給水及び給湯を調整して浴槽供給湯による所要の入浴湯張時間、入浴湯張完了時温度に対して、簡易な操作によって容易に応答でき、給水及び給湯の調整経費を節減することができる。
【００１８】
また、所要の入浴湯張時間、入浴湯張完了時温度に対して給水及び給湯が適切に調整される。このため、湯張後に使用者が入浴するときに、熱過ぎて水を追加したり、温すぎて湯を追加したりすることが少なくなる。したがって、無用な給水及び給湯が減少してエネルギーを節減することができ、また節水することができる。
なお、所要の入浴湯張時間、入浴湯張完了時温度に給水及び給湯を調整する作業は、季節の替わり目に行うことによって前述の作用を得ることができる。
【００１９】
【発明の効果】
この発明は以上説明したように、一次側給水バルブに接続されて浴室に設けられた給水栓及び一次側給湯バルブに接続されて浴室に設けられた給湯栓に連結された浴槽供給湯管路、温度検出器及び流速検出器が設けられ浴槽供給湯管路の湯水が要時に供給される検出手段と、温度検出器及び流速検出器の出力を給水温度、給湯温度、給水流量、給湯流量、浴槽供給湯温度、浴槽供給湯量に変換する機能及び浴室に対応した操作手段により入力された任意入浴湯張時間、任意入浴湯張完了時温度から適正浴槽供給湯温度、適正浴槽供給湯量を算出し適正浴槽供給湯温度、適正浴槽供給湯量を得るための適正給水量、適正給湯量を算出する機能を有する調整装置と、一次側給水バルブ及び一次側給湯バルブの調整作業のための適正給水量、適正給湯量を表示する調整用表示装置とを設けたものである。
【００２０】
これによって、一次側給水バルブ、一次側給湯バルブの両者を調整用表示装置の表示によって操作して水量、湯量の現在値を容易に適正値に調整することができる。そして、給水及び給湯を調整して浴槽供給湯による所要の入浴湯張時間、入浴湯張完了時温度に対して、簡易な操作によって容易に応答でき、給水及び給湯の調整経費を節減する効果がある。また、所要の入浴湯張時間、入浴湯張完了時温度に対して給水及び給湯が適切に調整される。このため、湯張後に使用者が入浴するときに、熱過ぎて水を追加したり、温すぎて湯を追加したりすることが少なくなる。したがって、無用な給水及び給湯が減少してエネルギーを節減することができ、また節水する効果がある。
【図面の簡単な説明】
【図１】この発明の実施の形態１を示す供給湯回路図。
【図２】図１の供給湯回路の調整作業を説明するフローチャート。
【図３】従来の浴槽供給湯調整装置を示す供給湯回路図。
【符号の説明】
１　一次側給水バルブ、　　２　給水栓、　　３　一次側給湯バルブ、　　４給湯栓、　　５　浴槽供給湯管路、　　７　温度検出器、　　８　流速検出器、　　１１　検出手段、　　１４　調整装置、　　１５　操作手段、　　１７　調整用表示装置。
【図１】
2004061018.tif 000003
【図２】
2004061018.tif 000004
【図３】
2004061018.tif 000005